(57)【要約】本発明は、試薬部７および電極３，５を備えた分析用具１に関する。電極３，５は、試薬部７が形成された多孔質導体部を含んでいる。多孔質導体部は、たとえば多孔質体の表面および内表面の少なくとも一部に導体膜をコーティングしたものである。多孔質体は、たとえば絶縁性繊維メッシュクロスである。好ましくは、電極３，５はシート状に形成される。
2009057792.tif 000002
【特許請求の範囲】
【請求項１】
試薬部と、１以上の電極と、を備えた分析用具であって、
上記１以上の電極は、上記試薬部が形成された多孔質導体部を含んでいる、分析用具。
【請求項２】
上記多孔質導体部は、多孔質体の表面および内表面の少なくとも一部に導体膜をコーティングしたものである、請求項１に記載の分析用具。
【請求項３】
上記多孔質体は、絶縁性繊維メッシュクロスである、請求項２に記載の分析用具。
【請求項４】
上記１以上の電極は、シート状に形成されている、請求項１に記載の分析用具。
【請求項５】
上記１以上の電極は、第１および第２電極シートを含んでおり、
上記第１および第２電極シートの間に介在する絶縁シートをさらに備えている、請求項４に記載の分析用具。
【請求項６】
上記絶縁シートは、絶縁性繊維メッシュクロスである、請求項５に記載の分析用具。
【請求項７】
上記第１および第２電極シートを間に介在させる第１および第２カバーシートをさらに備えており、かつ、上記第１カバーシート、上記第１電極シート、上記絶縁シート、上記第２電極シートおよび上記第２カバーシートを、この順序で積層した形態を有しており、
上記第１および第２カバーシートのうちの少なくとも一方は、上記第１および第２電極シートを露出させるための孔部を有している、請求項４に記載の分析用具。
【請求項８】
上記第１カバーシートには、上記第１電極シートを露出させるための孔部が形成されており、
上記第２カバーシートには、上記第２電極シートを露出させるための孔部が形成されている、請求項７に記載の分析用具。
【請求項９】
上記第１カバーシート、上記第１電極シートおよび上記絶縁シートには、上記第２電極シートを露出させるための孔部が形成されており、
上記第２カバーシート、上記第２電極シートおよび上記絶縁シートには、上記第１電極シートを露出させるための孔部が形成されている、請求項７に記載の分析用具。
【請求項１０】
上記第１電極シートは、上記多孔質体における上記第２カバーシート側に対して選択的に上記導体膜が形成されたものであり、
上記第２電極シートは、上記多孔質体における上記第１カバーシート側に対して選択的に上記導体膜が形成されたものである、請求項９に記載の分析用具。
【請求項１１】
上記第１カバーシート、上記第１電極シートおよび絶縁シートには、上記第２電極シートを露出させるための孔部が形成されており、
上記第１カバーシートにはさらに、上記第１電極シートを露出させるための孔部が形成されている、請求項７に記載の分析用具。
【請求項１２】
上記試薬部の周りを囲むように疎水処理が施されている、請求項１に記載の分析用具。
【請求項１３】
上記試薬部が形成される部分に親水処理が施されている、請求項１に記載の分析用具。
【発明の詳細な説明】
【技術分野】
【０００１】
本発明は、試薬部と電極とを備えた分析用具に関する。
【背景技術】
【０００２】
血液中のグルコース濃度などを測定する場合、簡易な手法として、使い捨てとして構成された分析用具を利用する方法が採用されている。分析用具としては、たとえば図９および図１０に示した電極式のバイオセンサ９がある（たとえば特許文献１参照）。このバイオセンサ９は、基板９０に設けた電極９１，９２と、血液などの試料を移動させるための流路９３と、を備えたものである。【０００３】
電極９１は血液中の特定成分との間で電子授受を行う作用極９４を含んでいる。電極９２は作用極９４との間に電位差を生じさせるための対極９５を含んでいる。作用極９４および対極９５は、流路９３において露出しているとともに試薬部９６と接触している。【０００４】
このようなバイオセンサ９では、流路９３に試料を供給した状態で作用極９４と対極９５との間に電圧を印加したときに、試料中の特定成分の濃度に応じた応答電流を出力することができる。そのため、バイオセンサ９では、作用極９４（電極９１）および対極９５（電極９２）を利用して応答電流を測定することにより、グルコース濃度などを測定できる。【０００５】
ここで、バイオセンサ９の電極９１，９２は、たとえばカーボンや銀などの導体成分を含んだインクを用いたスクリーン印刷、金属スパッタ、あるいは基板９０に対する金属片の埋め込みにより形成されている。そのため、電極９１，９２は、厚みが小さく、あるいは実質的に厚みがなく、作用極９４の面積がバイオセンサ９の感度に実質的に大きな影響を与える。その一方で、バイオセンサ９は、試料の必要量を少なくするために流路９３のサイズを小さくする傾向にあり、電極９１，９２ひいては作用極９４および対極９５の面積も小さくなる傾向にある。そのため、流路９３のサイズを小さくした場合には、流路９３に試料を供給したときの試料と作用極９４との接触面積が小さくなる傾向にあるため、バイオセンサ９の出力が小さくなるばかりか、センサの感度にバラツキが生じやすくなる。【０００６】
また、試薬部９６は、たとえば作用極９４や対極９５を覆うように試薬含有液を点着した後に、試薬含有液を乾燥させることにより形成される。試薬含有液を乾燥させる場合、試薬含有液の点着スポットの中心部に比べて、点着スポットの周囲ほうが乾燥が速くなる。そのため、点着スポットの周囲が先に結晶化し、試薬部９６の周囲が中央部に比べて試薬濃度が高くなる。その結果、試料により試薬部９６を溶解させたときの試薬部９６の溶解性が低くなり、あるいは試薬濃度に不均一さが生じるため、測定精度が低下することがある。このような不具合を解消するためには、湿度や温度などの環境条件を適切にコントロールできる乾燥装置が必要となるために高価な設備が必要となり、また装置の稼動やメンテナンスのめに労力が必要となる。【０００７】
さらに、基板９０に金属片を埋め込んで電極９１，９２を形成する場合には、基板全体の厚みを大きく確保する必要があるため。そのため、バイオセンサ９を製造するときに、基板９０などの材料をロールから引き出しつつ製造を行なうことができない。すなわち、ロール・ツゥ・ロールの製造が困難となるため、製造方法に制約が生じるばかりか製造効率を向上させることが困難となる。【０００８】
【特許文献１】特開平６−１０９６８８号公報
【発明の開示】
【発明が解決しようとする課題】
【０００９】
本発明は、バイオセンサなどの分析用具を、試料と接触させる電極面積を大きく確保しつつも、効率良くかつ低コストで製造できるようにし、分析用具の小型化にも適切に対応できるようにすることを課題としている。
【課題を解決するための手段】
【００１０】
本発明では、試薬部と、１以上の電極と、を備えた分析用具であって、上記１以上の電極は、上記試薬部が形成された多孔質導体部を含んでいる、分析用具が提供される。【００１１】
上記多孔質導体部は、たとえば多孔質体の表面および内表面の少なくとも一部に導体膜をコーティングしたものである。上記多孔質体は、たとえば絶縁性繊維メッシュクロスである。【００１２】
上記１以上電極は、たとえばシート状に形成されており、好ましくは第１および第２電極シートを含んでいる。【００１３】
本発明の分析用具は、上記第１および第２電極シートの間に介在する絶縁シートをさらに備えていてもよい。上記絶縁シートは、たとえば絶縁性繊維メッシュクロスである。【００１４】
本発明の分析用具は、たとえば上記第１および第２電極を間にラミネートした第１および第２カバーシートをさらに備えており、上記第１カバーシート、上記第１電極、上記絶縁シート、上記第２電極および上記第２カバーシートを、この順序で積層した形態を有している。このような分析用具では、上記第１および第２カバーシートのうちの少なくとも一方は、上記第１および第２電極を露出させるための孔部を有するものとされる。【００１５】
たとえば、上記第１カバーシートには上記第１電極を露出させるための孔部が形成され、上記第２カバーシートには上記第２電極を露出させるための孔部が形成される。【００１６】
本発明の分析用具は、上記第１カバーシート、上記第１電極および上記絶縁シートに上記第２電極を露出させるための孔部が形成され、上記第２カバーシート、上記第２電極および上記絶縁シートに上記第１電極を露出させるための孔部が形成されたものであってもよい。この場合の第１電極は、上記多孔質体における上記第２カバーシート側に対して選択的に上記導体膜が形成されたものであってもよい。一方、上記第２電極は、上記多孔質体における上記第１カバーシート側対して選択的に上記導体膜が形成されたものであってもよい。【００１７】
本発明はまた、上記第１カバーシート、上記第１電極および絶縁シートに上記第２電極を露出させるための孔部が形成され、上記第１カバーシートに上記第１電極を露出させるための孔部がさらに形成されたものであってもよい。【００１８】
好ましくは、本発明の分析用具は、上記試薬部の周りを囲むように疎水処理が施され、上記試薬部が形成される部分に親水処理が施されている。
【図面の簡単な説明】
【００１９】
【図１】本発明の第１の実施の形態に係るバイオセンサを示す全体斜視図である。
【図２】図１に示したバイオセンサの分解斜視図である。
【図３】図１のIII−III線に沿う断面図である。
【図４】図１に示したバイオセンサの製造方法を説明するための概略構成図である。
【図５】本発明の第２の実施の形態に係るバイオセンサを示す分解斜視図である。
【図６】図５に示したバイオセンサの図３に相当する断面図である。
【図７】本発明の第３の実施の形態に係るバイオセンサを示す分解斜視図である。
【図８】図７に示したバイオセンサの図３に相当する断面図である。
【図９】従来の分析用具の一例に相当するバイオセンサを示す全体斜視図である。
【図１０】図９に示したバイオセンサの分解斜視図である。
【符号の説明】
【００２０】
１，１′，１″  バイオセンサ
２，２′，２″  カバーシート
２０，２１，２２′，２２″  貫通孔
３，３′，３″  電極シート
３０′，３０″  貫通孔
４，４′，４″  セパレータ
４０′，４０″  貫通孔
５，５′，５″  電極シート
５０′  貫通孔
６，６′，６″  カバーシート
６０，６１，６２′  貫通孔
７  試薬部
【発明を実施するための最良の形態】
【００２１】
以下においては、本発明について図面を参照しつつ説明する。【００２２】
まず、本発明の第１の実施の形態について、図１ないし図４を参照しつつ説明する。【００２３】
図１ないし図３に示したバイオセンサ１は、使い捨てとして構成されたものであり、濃度測定装置などの分析装置に装着し、試料（たとえば血液や尿などの生化学的試料）における特定成分（たとえばグルコース、コレステロールあるいは乳酸）を分析するために使用されるものである。このバイオセンサ１は、カバーシート２、電極シート３、セパレータ４、電極シート５およびカバーシート６を積層した形態を有しており、全体としてシート状に形成されている。バイオセンサ１はさらに、試薬部７を有しており、試薬部７に試料を点着することにより、試料の分析を行なうことができる。【００２４】
カバーシート２，６は、電極シート３，５を保護するとともに試料の点着領域や移動領域を規定するためのものであり、貫通孔２０，２１，６０，６１を有している。貫通孔２０，６０は、分析装置のコネクタ８０，８１が電極シート３，５に接触するのを可能とするためのものであり、電極シート３，５の一部を露出させている。貫通孔２１，６１は、バイオセンサ１に供給される試料の点着口および空気抜き穴として機能するものである。このようなカバーシート２，６は、たとえばＰＥＴなどの絶縁樹脂材料により厚みが１５０〜３００μｍに形成されている。【００２５】
電極シート３，５は、分析装置のコネクタ８０，８１によって電圧が印加されるものであり、たとえば厚みが１０〜５０μｍのシート状に形成されている。電極シート３，５は、全体が多孔質に形成されているとともに、少なくとも表面に導電性を有している。電極シート３，５における多孔質の程度は、試料の供給時に目詰まりを生じさせることなく、試料を移動させるのに十分な毛細管力を作用させることができる程度であればよく、メッシュ径またはポーラス径を基準として、たとえば１０〜３００μｍに設定される。このような電極シート３，５は、導電性の低い多孔質体の表面に導体膜を設けることにより形成することができる。【００２６】
多孔質体としては、たとえば絶縁性繊維クロスを使用することができる。絶縁性繊維クロスとしては、たとえば絶縁性繊維を平織りしたものを使用することができる。絶縁性繊維としては、たとえばポリエチレンやナイロンにより繊維径が５〜１００μｍに形成されたものを使用することができる。もちろん、絶縁性繊維クロスとしては、綾織や朱子織りなどの他の組織のものの他、不織布を採用することもできる。【００２７】
多孔質体としては、繊維クロスの他に、発泡体、多数の粒子を一体化させて多孔質化したものを使用することもできる。【００２８】
一方、多孔質体への導体膜の形成は、たとえば金属などの導体材料を用いた公知の成膜手法により行なうことができる。【００２９】
金属材料としては、たとえばプラチナ（Ｐｔ）、金（Ａｕ）、パラジウム（Ｐｄ）あるいはニッケル（Ｎｉ）を使用することができる。【００３０】
成膜手法としては、たとえばスパッタリング、蒸着あるいはメッキを採用することができる。【００３１】
電極シート３，５は、必ずしも全体を多孔質体が母材となるように形成する必要はなく、少なくとも試薬部８が形成される部分（試料を移動させる部分）が多孔質であればよく、また導体により全体が多孔質に形成されたものであってもよい。【００３２】
セパレータ４は、電極シート３，５の間の絶縁状態を維持するためのものであり、たとえば厚みが１０〜５０μｍのシート状に形成されているとともに、絶縁性材料により全体が多孔質に形成されている。セパレータ４は、試料の供給時に目詰まりを生じさせることなく、試料を移動させるのに十分な毛細管力を作用させることができるものであればよく、たとえばメッシュ径またはポーラス径が１０〜３００μｍである多孔質体を採用することができる。多孔質体としては、電極シート３，５において採用可能な多孔質体と同様なものを使用することができる。【００３３】
電極シート３，５およびセパレータ４はさらに、試薬部７が形成された領域に親水処理されているとともに、少なくとも試薬部７の周囲を囲むように疎水処理されている。親水処理は、レシチンなどの界面活性剤の塗布、あるいは紫外光や真空紫外光の照射により行なうことができる。疎水処理は、フッ素コート処理などにより行なうことができる。【００３４】
試薬部７が形成された領域に親水処理を施しておくことにより、試薬部７を形成するときに、親水処理を施した部分に対して選択的に試薬部７を形成するための試薬液を含浸させることが可能となる。これにより、試薬部７を適切に規定することができる。また、試薬部７に試料を供給した場合には、親水処理を施した部分において試料を積極的に移動させ、試薬部７以外への試料の浸透を抑制することができる。このため、試薬部７に対して選択的かつ効率良く試料を供給することが可能となる。【００３５】
一方、電極シート３，５およびセパレータ４において、試薬部７を囲むように疎水処理を施しておくことにより、試薬部７に試料を供給したときに試薬部７の周囲に試料が浸透していくのを抑制することができる。これにより、試薬部７に対して選択的かつ効率良く試料を供給することが可能となる。【００３６】
試薬部７は、試料と反応させるためのものであり、カバーシート２，６の貫通孔２１，６１の間において、電極シート３、セパレータ４および電極シート５に連続して形成されている。この試薬部７は、たとえば酸化還元酵素および電子伝達物質などの試薬を含んでおり、これらの試薬を電極シート３、セパレータ４および電極シート５における所定領域に担持させることにより形成されている。【００３７】
酸化還元酵素は、試料における特定成分の種類に応じて選択され、たとえばグルコースを分析する場合には、グルコースオキシダーゼ（ＧＯＤ）やグルコースデヒドロゲナーゼ（ＧＤＨ）を用いることができ、典型的にはＰＱＱＧＤＨが使用される。電子伝達物質としては、たとえばルテニウム錯体や鉄錯体を使用することができ、典型的には[Ｒｕ(ＮＨ3)6]Ｃｌ3やＫ3[Ｆｅ(ＣＮ)6]を使用することができる。【００３８】
以上に説明したバイオセンサ１では、多孔質に形成された電極シート３，５およびセパレータ４に試薬部７が形成されているため、試薬部７や試料と電極シート３，５やセパレータ４との間の接触面積を大きく確保することが可能となる。その結果、バイオセンサ１の出力ひいてはセンサ感度を向上させることが可能でとなる。また、試薬部７を多孔質体に試薬を担持させて形成するようにしたため、従来のように平板状に試薬部を形成した場合に比べて、試薬部７の溶解性を高めることが可能となり、試料を供給したときの試薬濃度を均一化することが可能となる。したがって、バイオセンサ１では、測定精度を適切に確保しつつ、バイオセンサ１の小型化に適切に対応することができる。【００３９】
次に、バイオセンサ１の製造方法の一例について、図４を参照しつつ説明する。【００４０】
バイオセンサ１の製造に当たっては、まず複数の材料ロール２Ａ，３Ａ，４Ａ，５Ａ，６Ａを準備する。【００４１】
材料ロール２Ａ，６Ａは、バイオセンサ１においてカバーシート２，６となるものであり、カバーシート２，６の貫通孔２０，２１，６０，６１に対応させた複数の貫通孔が形成されたものである。これらの材料ロール２Ａ、６Ａは、たとえば予め複数の貫通孔を形成した長尺シート２Ｂ，６Ｂを芯材２Ｃ，６Ｃに巻き付けることにより形成される。長尺シート２Ｂ，６Ｂは、たとえばＰＥＴなどの絶縁性樹脂材料により厚みが１５０〜３００μｍに形成され、貫通孔は、たとえば打ち抜き加工により形成することができる。【００４２】
複数の貫通孔を形成するための打ち抜き加工は、後述する材料シート２Ａ〜６Ａの積層工程や試薬含有液の点着工程と同一の製造ライン上において、材料シート２Ａ〜６Ａの積層工程を行う直前に行ってもよい【００４３】
材料ロール３Ａ，５Ａは、バイオセンサ１において電極シート３，５となるものであり、表面および内表面の少なくとも一部に導電性を有する多孔質状に形成されている。これらの材料シート３Ａ，５Ａは、たとえば導体膜を形成した厚みが１０〜５０μｍの絶縁性繊維クロスの長尺シート３Ｂ，５Ｂを芯材３Ｃ，５Ｃに巻き付けることにより形成される。導電膜の形成は、金属などの導体材料を用いた公知の成膜手法により行なうことができる。【００４４】
材料ロール４Ａは、バイオセンサ１においてセパレータ４となるものであり、多孔質状に形成されている。この材料ロール４Ａは、たとえば厚みが１０〜５０μｍの絶縁性繊維クロスの長尺シート４Ｂを芯材４Ｃに巻き付けることにより形成される。【００４５】
長尺シート３Ｂ〜５Ｂには、必要に応じて、予め試薬部７を形成する領域（長尺シート２Ｂ，６Ｂにおける所定の貫通孔に対応する領域）に親水処理が施され、親水処理を施した部分を囲むように、全体的あるいは部分的に疎水処理が施されている。親水処理は、たとえば界面活性剤処理や紫外線照射により行なわれ、疎水処理は、たとえばフッ素コート処理により行なわれる。【００４６】
次いで、材料ロール２Ａ〜６Ａをセッティングし、材料ロール２Ａ〜６Ａから長尺シート２Ｂ〜６Ｂを引き出しつつ、それらの長尺シート２Ｂ〜６Ｂを互いに積層する。このとき、隣接する長尺シートの間に接着層を形成して積層シート８とする。接着層は、たとえば両面テープやホットメルト接着シートを長尺シート２Ａ〜６Ａの間に介在させることにより形成される。長尺シート２Ｂ〜６Ｂの積層後は圧着あるいは熱圧着により長尺シート２Ｂ〜６Ｂを互いに接着する。【００４７】
次いで、長尺シート２Ｂの所定の貫通孔に対して試薬含有液を点着する。試薬含有液は、たとえば酸化還元酵素や電子伝達物質を含むものであり、公知のディスペンサ８２により点着される。ここで、長尺シート３Ｂ〜５Ｂが多孔質に形成されているため、貫通孔を介して点着される試薬含有液は、長尺シート３Ｂ〜５Ｂに浸透していく。そのため、平坦面に試薬含有液を点着させた場合に比べて、均質に試薬含有液が乾燥するため、試薬部７に試料を供給して試薬部７を溶解させたときに試薬濃度を均質化することが可能となる。【００４８】
また、長尺シート３Ｂ〜５Ｂに対して長尺シート２Ｂの貫通孔に対応する位置に親水処理を施しておけば、長尺シート２Ｂの貫通孔を介して試薬含有液を点着したときに、親水処理を施した部分に対して選択的に試薬含有液を浸透させることが可能となる。さらに、親水処理を施した領域の周囲に疎水処理を施しておけば、親水処理した領域の周囲に試薬含有液が浸透することを抑制できるため、親水処理を施した部分に対してより選択的に試薬含有液を浸透させることが可能となる。【００４９】
次いで、必要に応じて試薬含有液をヒータや送風機などの乾燥手段８３を用いて試薬含有液を乾燥させた後に芯材８４に積層シート８を巻き取って行く。最終的には、積層シート８に打ち抜き加工や切断加工を施すことにより、図１ないし図３に示したバイオセンサ１が得られる。なお、積層シート８の打ち抜きや切断は、芯材８３に積層シート８を巻き取る前に、試薬含有液の塗布工程と同一の製造ライン上において行なってもよい。【００５０】
このように、バイオセンサ１は、複数の材料ロール２Ａ〜６Ａを用いて形成することが可能であるため、いわゆるロール・ツゥ・ロールでの製造が可能である。そのため、バイオセンサ１は、製造方法に制約が少なく、また効率良くコスト的に有利に製造することが可能である。【００５１】
次に、本発明の第２の実施の形態に係るバイオセンサについて、図５および図６を参照しつつ説明する。図５および図６においては、先に説明した本発明の第１の実施の形態と同等または実質的に同等な要素については、同一の符号を付してあり、以下における重複説明は省略する。【００５２】
図５および図６に示したバイオセンサ１′は、カバーシート２′、電極シート３′、セパレータ４′、電極シート５′およびカバーシート６′を積層した形態を有するシート状に形成されている。【００５３】
カバーシート２′、電極シート３′およびセパレータ４′は、互いに連通する貫通孔２２′，３０′，４０′を有している。これらの貫通孔２２′，３０′，４０′は、電極シート５′を露出させ、コネクタ８０が電極シート５′に接触するのを許容するためのものである。【００５４】
セパレータ４′、電極シート５′およびカバーシート６′は、互いに連通する貫通孔４１′，５０′，６２′を有している。これらの貫通孔４１′，５０′，６２′は、電極シート３′を露出させ、コネクタ８１が電極シート３′に接触するのを許容するためのものである。【００５５】
これらの電極シート３′，５′は、セパレータ４′に接着される面３１′，５１′が選択的に導電性を有するものとされている。すなわち、電極シート３′，５′は、面３１′，５１′においてコネクタ８０，８１と接触させられるため、面３２′，５２′については積極的に導電性を付与する必要はない。このような電極シート３′，５′は、絶縁性繊維クロスなどの多孔質体に対して、片面側にのみ導体膜を形成することにより形成することができる。【００５６】
もちろん、電極シート３′，５′は、面３１′，５１′および面３２′，５２′を含めた全体に導体膜が形成されたものであってもよく、試薬部７が形成される領域およびコネクタ８０，８１が接触させられる領域を含めた所定の部分に導体膜が形成されたものであってもよい。【００５７】
このようなバイオセンサ１′においても、試薬部７が形成される領域が多孔質であるから、試薬部７や試料と電極シート２′，４′やセパレータ３′との間の接触面積を大きく確保することが可能となる。その結果、バイオセンサ１′の出力ひいてはセンサ感度を向上させることが可能であり、測定精度を適切に確保しつつ、バイオセンサ１′の小型化に適切に対応することができる。【００５８】
次に、本発明の第３の実施の形態に係るバイオセンサについて、図７および図８を参照しつつ説明する。図７および図８においては、先に説明した本発明の第１の実施の形態と同等または実質的に同等な要素については、同一の符号を付してあり、以下における重複説明は省略する。【００５９】
図７および図８に示したバイオセンサ１″は、カバーシート２″、電極シート３″、セパレータ４″、電極シート５″およびカバーシート６″を積層した形態を有するシート状に形成されている。【００６０】
カバーシート２″、電極シート３″およびセパレータ４″は、互いに連通する貫通孔２２″，３０″，４０″を有している。これらの貫通孔２２″，３０″，４０″は、電極シート５″を露出させ、コネクタ８１が電極シート５″に接触するのを許容するためのものである。【００６１】
一方、電極シート３″は、カバーシート２″の貫通孔２０によって露出させられている。これにより、電極シート３″にコネクタ８０が接触するのが許容されている。すなわち、電極シート３″，５″は、カバーシート２″を介して露出している。そのため、分析装置においては、コネクタ８０，８１は、カバーシート２″側に並んで配置される。【００６２】
電極シート３″は、セパレータ４″に接着される面３１″とは反対側の面３２″が選択的に導電性を有するものとされている。電極シート５″は、セパレータ４″に接着される面５１″が選択的に導電性を有するものとされている。すなわち、電極シート３″，５″は、面３２″，５１″においてコネクタ８０，８１と接触させられるため、面３１″，５２″については積極的に導電性を付与する必要はない。このような電極シート３″，５″は、絶縁性繊維クロスなどの多孔質体の片面側にのみ導体膜を形成することにより多孔質に形成されている。また、面３２″，５１″について選択的に導電性を付与する場合には、面３１″，５２″に十分な絶縁性が得られる場合にはセパレータ４″を省略してもよい。【００６３】
もちろん、電極シート３″，５″は、面３１″，５１″および面３２″，５２″を含めた全体に導電膜が形成されたものであってもよいし、試薬部７が形成される領域およびコネクタ８０，８１が接触させられる領域を含めた所定の部分に導電膜が形成されたものであってもよい。【００６４】
このようなバイオセンサ１″においても、試薬部７が形成される領域が多孔質であるから、試薬部７や試料と電極シート２″，４″やセパレータ３″との間の接触面積を大きく確保することが可能となる。その結果、バイオセンサ１″の出力ひいてはセンサ感度を向上させることが可能であり、測定精度を適切に確保しつつ、バイオセンサ１″の小型化に適切に対応することができる。【００６５】
本発明は、上述した実施の形態には限定されず種々に変更可能である。たとえばカバーシートに形成される貫通孔は、カバーシートの縁にまで連続して延びる孔部として形成してもよい。【００６６】
また、バイオセンサにおける電極シートの数は、必ずしも２枚である必要はなく、たとえば試料として全血を使用するバイオセンサにおいては、ヘマトクリットの影響量を測定するための補正用の電極シートを備えていてもよい。さらには、電極は、必ずしもシート状に形成する必要はなく、適宜設計すればよい。
【図１】
2009057792.tif 000003
【図２】
2009057792.tif 000004
【図３】
2009057792.tif 000005
【図４】
2009057792.tif 000006
【図５】
2009057792.tif 000007
【図６】
2009057792.tif 000008
【図７】
2009057792.tif 000009
【図８】
2009057792.tif 000010
【図９】
2009057792.tif 000011
【図１０】
2009057792.tif 000012
【国際調査報告】
2009057792.tif 000013
2009057792.tif 000014
2009057792.tif 000015
2009057792.tif 000016